(57)【要約】      （修正有）【課題】操作機構を増やすことなく機能を追加することができ、作業者が直感的に設定作業を行える自由度の高い電子機器を実現すること。【解決手段】外部から操作可能な操作手段４を備えた電子機器において、前記操作手段による操作量を検出する操作量検出手段５と、この操作量検出手段で検出された操作量に応じて前記電子機器を駆動制御するための各種設定に関連した所定の機能を割り当てる機能割当手段６、を設けた。【選択図】図１
2016001383.tif 000002
【特許請求の範囲】
【請求項１】
外部から操作可能な操作手段を備えた電子機器において、
前記操作手段による操作量を検出する操作量検出手段と、
この操作量検出手段で検出された操作量に応じて前記電子機器を駆動制御するための各種設定に関連した所定の機能を割り当てる機能割当手段、
を設けたことを特徴とする電子機器。
【請求項２】
前記設定手段は外部から操作可能なネジであることを特徴とする請求項１記載の電子機器。
【請求項３】
前記操作手段は外部から操作可能なスイッチであることを特徴とする請求項１記載の電子機器。
【請求項４】
前記スイッチと前記ネジは一体化されていることを特徴とする請求項２から請求項４のいずれかに記載の電子機器。
【発明の詳細な説明】
【技術分野】
【０００１】
本発明は、電子機器に関し、詳しくは、伝送器などの電子機器における属性情報などの設定入力の改善に関するものである。
【背景技術】
【０００２】
プロセス制御システムでは、プロセス配管系統の各部における圧力、温度、流量などの各種の測定物理量を電気信号に変換して計器室に伝送するために、それぞれ測定物理量に対応した電子機器としての各種の伝送器が用いられている。
【０００３】
これら伝送器には、初期設定、プラント操業中の保守点検作業、機器交換作業などにあたり、設置現場で他のツールを用いることなく伝送器単体で、伝送器固有の属性情報などを設定入力するための外部から操作可能なボタンやネジなどの操作部が設けられたものがある。
【０００４】
これらの設定方法は以下の２つに大別される。
ａ）選択肢作成型設定：桁を区別して各桁を個別に設定する
ｂ）選択肢選択型設定：桁を区別せずに全桁を同時に設定する
【０００５】
ここで、選択肢作成型設定には以下の特徴がある。
＜利点＞
１）任意の数値を組み合わせて任意の数値列を設定できる。
・任意の実数値を設定できる。
例）零点、上限値(URV)、下限値(LRV)など
・任意の整数値を設定できる。
例）Address、小数点位置など
２）任意の数値と文字を組み合わせて任意の文字列を設定できる。
例）タグ名、パスワードなど
【０００６】
＜欠点＞
１）作業者に余計な工数を強いることになる。
・大まかな設定がしづらい。
例）ダンピング、Address、上限値(URV)、下限値(LRV)など
２）文字列の選択には不向きである。
・文字列自体に意味があるため、一から文字列を設定するのは非現実的である。
例）Ident Number、単位、”Enable”／”Disable”など
【０００７】
一方、選択肢選択型設定には以下の特徴がある。
＜利点＞
１）大まかな設定がしやすい。
例）ダンピング、Address、上限値(URV)、下限値(LRV)など
２）文字列の選択に向く。
例）Ident Number、単位、”Enable”／”Disable”など
【０００８】
＜欠点＞
１）任意の数値を組み合わせて任意の数値列を設定できない。
例）零点、上限値(URV)、下限値(LRV)、Addressなど
２）任意の数値と文字を組み合わせ、任意の文字列を設定できない。
例）タグ名、パスワードなど
３）任意の数値列や任意の文字列を設定するには、別途、調整機器を必要とする。
例)ＨＨＴ、専用設定端末など
【０００９】
図１２は、従来から用いられている電子機器としての伝送器の一例を示す構成説明図である。図１２において、表示部１の下部には図示しないスイッチを外部から操作するための第１操作部として機能する少なくとも１個の操作ボタン２が設けられていて、操作ボタン２の下部には外部から零点調整を行うための第２操作部として機能する少なくとも１個のネジ３が設けられている。
【００１０】
これら操作ボタン２の押下とネジ３の回転によって実行される機能は、図１３に示すように、非編集中と編集中によって異なる。
【００１１】
非編集中において、操作ボタン２は「設定項目選択」機能を有し、設定項目を選択する場合に使用する。ネジ３は「設定項目設定確定」機能を有し、選択した設定項目を編集対象として確定し、編集を開始する場合に使用する。
【００１２】
編集中において、操作ボタン２は「選択肢選択確定」機能を有し、選択した選択肢を設定対象として確定する。ネジ３は「選択肢選択」機能を有し、昇順・降順方向に選択肢を選択する際に使用する。
【００１３】
ここで、操作ボタン２とネジ３は、操作ボタン２の押下時間の長短やネジ３の回転速度の高低の違いがあっても、それぞれに割り当てられている機能を実行する。
【００１４】
すなわち、非編集中に操作ボタン２を長押しすると、短押ししたときと同様に、「設定項目選択」機能を一度だけ実行する。ネジ３を高速回転させると、低速回転させたときと同様に、「設定項目選択確定」機能を一度だけ実行する。
【００１５】
そして、編集中に操作ボタン２を長押しすると、短押ししたときと同様に、「選択肢選択確定」機能を一度だけ実行する。ネジ３を高速回転させると、昇順または降順方向に選択肢が非連続的に切り替わるが、これはネジ３を連続で低速回転させたときの動作に等しい「選択肢選択」機能の延長線上にある機能であり、異なる機能ではない。
【００１６】
図１４は、図１２の構成における設定手順の概略を示す遷移定義図である。図１４において、設定時の初期状態は、待機（Ｓ１）である。待機（Ｓ１）において、ネジ３を回転させない限り、待機状態を保持する。そして、操作ボタン２を押下すると次の設定項目の待機に遷移し、ネジ３を回転させると現在の設定項目の選択肢選択型設定（Ｓ２）に遷移する。
【００１７】
選択肢選択型設定（Ｓ２）に遷移した状態において、ネジ３を回転させて選択肢を選択するが、操作ボタン２を押下するまでは選択肢選択型設定（Ｓ２）を保持する。操作ボタン２を押下すると、決定（Ｓ３）に遷移する。
【００１８】
決定（Ｓ３）に遷移した状態において、選択した選択肢を、設定値として反映させる。そして、設定値への反映が完了すると、現在の設定項目の待機（Ｓ１）に遷移する。
【００１９】
図１２の構成によれば、１つの機構が実行できる機能は１つだけであり、１機構１機能であることから、その構成は単純である。
【００２０】
特許文献１には、複数の赤外線スイッチで設定を行う技術が記載されている。
【先行技術文献】
【特許文献】
【００２１】
【特許文献１】特開２０１３−０３０３４９号公報
【発明の開示】
【発明が解決しようとする課題】
【００２２】
しかし、従来の伝送器に設けられている操作機構に割り当てられている機能は１つのみであることから、新たな機能を１つ追加する場合には新たな操作機構を１つ追加実装しなければならず、ハードウェアの設計を変更する必要がある。
【００２３】
そして、機能の増加に伴って操作機構が増加すると、作業者にとっては「どの操作機構にどの機能が割り当てられているのか」を的確に把握することが困難になり、使い勝手が悪くなるおそれもある。
【００２４】
本発明は、これらの問題点を解決するものであり、その目的は、操作機構を増やすことなく機能を追加することができ、作業者が直感的に設定作業を行える自由度の高い電子機器を実現することにある。
【００２５】
このような目的を達成するために、本発明のうち請求項１記載の発明は、
外部から操作可能な操作手段を備えた電子機器において、
前記操作手段による操作量を検出する操作量検出手段と、
この操作量検出手段で検出された操作量に応じて前記電子機器を駆動制御するための各種設定に関連した所定の機能を割り当てる機能割当手段、
を設けたことを特徴とする。
【００２６】
請求項２記載の発明は、請求項１記載の電子機器において、
前記操作手段は外部から操作可能なネジであることを特徴とする。
【００２７】
請求項３記載の発明は、請求項１記載の電子機器において、
前記操作手段は外部から操作可能なスイッチであることを特徴とする。
【００２８】
請求項４記載の発明は、請求項２または請求項３記載の電子機器において、
前記スイッチと前記ネジは一体化されていることを特徴とする。
【発明の効果】
【００２９】
本発明によれば、操作機構を増やすことなく、機能を追加することができる。
【図面の簡単な説明】
【００３０】
【図１】本発明の一実施例を示すブロック図である。
【図２】操作量と機能の対応例図である。
【図３】本発明に基づく基本的な設定手順の遷移定義図である。
【図４】本発明に基づく具体的な設定手順の遷移定義図である。
【図５】操作ボタン２の操作定義説明図である。
【図６】操作ボタン２の押下判定基準説明図である。
【図７】操作ボタン２の押下における操作量の判定基準の定義説明図である。
【図８】ネジ３の操作定義説明図である。
【図９】ネジ３の回転に伴い生成検出されるパルス数の判定基準説明図である。
【図１０】本発明の一実施例である伝送器７の内部機能ブロック例図である。
【図１１】本発明に基づく伝送器の具体例を示す外観斜視図である。
【図１２】従来から用いられている電子機器としての伝送器の一例を示す構成説明図である。
【図１３】図１２の構成における操作ボタン２およびネジ３と対応する機能の説明図である。
【図１４】図１２の構成における設定手順の概略を示す遷移定義図である。
【発明を実施するための最良の形態】
【００３１】
図１は、本発明の一実施例を示すブロック図である。図１において、操作部４は、図１１に示す操作ボタン２やネジ３などを含むものである。操作量検出部５は、操作部４における操作ボタン２の押下時間やネジ３の回転量などを操作量として検出し、検出した操作量を機能割当部６に出力する。なお、ネジ３の回転量は、たとえばネジ３の回転に連動してロータリーエンコーダを回転させることにより、パルス列に変換できる。
【００３２】
機能割当部６は、操作量検出部５を介して入力された操作ボタン２の押下時間やネジ３の回転量などの操作量の大きさに応じて、電子機器を駆動制御するための各種設定に関連した所定の機能を割り当てる。
【００３３】
図２は操作量と機能の対応例図であり、（Ａ）は操作ボタン２の例を示し、（Ｂ）はネジ３の例を示している。操作ボタン２の場合、操作量１は短時間の押下とし、操作量２は長時間の押下とする。
【００３４】
これら操作ボタン２の押下とネジ３の回転によって実行される機能は、従来の図１２と同様に、非編集中と編集中によって異なり、さらに非編集中と編集中に実行される機能は操作量によって異なる。
【００３５】
非編集中において、操作ボタン２を短時間押下する操作量１により「設定項目選択」機能を実行することができ、設定項目を切替選択できる。これに対し、操作ボタン２を長時間押下する操作量２により「設定項目選択終了」機能を実行することができ、通常画面に戻ることができる。
【００３６】
一方、編集中において、操作ボタン２を短時間押下する操作量１により「選択肢選択確定」機能を実行することができ、桁移動により所望の桁を選択できる。これに対し、操作ボタン２を長時間押下する操作量２により「選択肢作成完了」機能を実行して編集をスキップできる。
【００３７】
ネジ３は、「選択肢選択確定」機能および「設定項目選択確定」機能を有する。
【００３８】
非編集中において、ネジ３を操作量１で回転させても何も変化しないが、回転が終了して操作量２になると「設定項目設定確定」機能を実行し、編集を開始する。
【００３９】
一方、編集中において、ネジ３を操作量１で回転させると「選択肢選択」機能を実行し、回転が終了すると操作量２になって何も変化しない。
【００４０】
図３は、本発明に基づく基本的な設定手順の遷移定義図である。図３において、全体の状態遷移は、非編集中Ａと編集中Ｂの２つの状態を用いて管理する。
１）非編集中Ａは待機Ｓ１を包含する。
２）編集中Ｂは選択Ｓ２→確認Ｓ３→決定Ｓ４を包含する。
３）ここで、非編集中Ａから編集中Ｂへ遷移しない限り、設定処理は実行されない。
【００４１】
初期状態は非編集中Ａの待機Ｓ１の段階であり、外部操作を介して、以下の動作を行う。
１）外部操作を介した入力を待つ。
２）何も入力がない限り、現在の設定項目の待機Ｓ１の段階を保持する。
３）設定項目を切り替えるためのトリガが入力されると、次の設定項目の待機Ｓ１の段階に遷移する。
４）設定を開始するトリガが入力されると、編集中Ｂの選択Ｓ２の段階に遷移する。
【００４２】
選択Ｓ２の段階では、外部操作を介して、以下の動作をする。
１）設定方法を切り替える。
２）設定方法の切替を完了するトリガが入力されない限りは、選択Ｓ２の段階を保持する。
３）設定方法の切替を完了するトリガが入力されると、確認Ｓ３の段階に遷移する。
【００４３】
確認Ｓ３の段階では、外部操作を介して、以下の動作をする。
１）選択した選択肢を設定値に反映するか否か、確認する。
２）確認を完了するトリガが入力されない限り、確認Ｓ３の段階を保持する。
３）設定を完了するトリガが入力されると、決定Ｓ４の段階に遷移する。
【００４４】
決定Ｓ４の段階では、以下の動作をする。
１）決定Ｓ４の段階の完了内容に応じて、設定値への反映が決定される。
２）設定値への反映が完了すると、現在の設定項目の非編集中Ａの待機Ｓ１の段階に遷移する。
【００４５】
図４は、本発明に基づく具体的な設定手順の遷移定義図である。ここで、「選択肢作成型設定」とは、設定項目において特定の選択肢が用意されておらず、設定したい選択肢を作成し、設定値として設定する方法のことをいう。
【００４６】
作成された選択肢は固有の「意味」を有しており、選択肢を自由に編集することで、別の「意味」を有する選択肢を作成することができる。たとえば、設定項目である機能Ａにおいて、「数値の１００」という意味を持つ選択肢として”１００”、「数値の１１０」という意味を持つ選択肢として”１１０”を作成したとする。”１００”を設定値として設定することで、機能Ａを”１００”に設定する。また、”１１０”を設定値として設定することで、機能Ａを”１１０”に設定する。
【００４７】
”１００”と”１１０”以外にも、「意味」のある選択肢を作成できる。「数値の１１５」という意味を持つ選択肢として”１１５”、「数値の１２０」という意味を持つ選択肢として”１２０”も設定値として設定できる。すなわち、機能Ａにおいて作成可能な選択肢であれば、いかなる選択肢も設定値として設定できるということである。
【００４８】
一方、前述の「選択肢選択型設定」とは、設定項目においてあらかじめ用意されている選択肢の中から、設定したい選択肢を選択し、設定値として設定する方法のことをいう。あらかじめ用意されている選択肢は固有の「意味」を有しており、その選択肢を自由に編集することはできない。
【００４９】
たとえば、設定項目である機能Ｂにおいて、「有効にする」という意味を持つ選択肢として”ENABL”があらかじめ用意され、「無効にする」という意味を持つ選択肢として”DISABL”があらかじめ用意されているとする。”ENABL”を設定値として設定することにより機能Ｂを「有効」にでき、”DISABL”を設定値として設定することにより機能Ｂを「無効」にできる。すなわち、機能Ｂにおいて「意味」のある選択肢は、”ENABL”と”DISABL”の２つだけである。
【００５０】
選択肢を自由に編集できるとすると、たとえば選択肢として”ON”や”OFF”を設定できることになる。しかし、機能Ｂにおいて「意味」のある選択肢は、”ENABL”と”DISABL”の２つだけであるため、選択肢として”ON”や”OFF”の設定はできない。その理由は、”ON”や”OFF”は”ENABL”や”DISABL”のように「意味」を持たないためである。
【００５１】
図４では、非編集中Ａと編集中Ｂの２つの状態を用いて全体の状態遷移を管理する。
１）非編集中Ａは待機Ｓ１を包含する。
２）編集中Ｂは選択Ｓ２、確認Ｓ３および決定Ｓ４を包含する。
３）選択Ｓ２は、選択肢作成型設定Ｓ２ａと選択肢選択型設定Ｓ２ｂを包含する。
４）確認Ｓ３は、保存Ｓ３ａと取消Ｓ３ｂを包含する。
５）決定Ｓ４は、保存Ｓ４ａと失敗Ｓ４ｂおよび取消Ｓ４ｃを包含する。
６）非編集中Ａから編集中Ｂへ遷移しない限り、設定処理は実行されない。
【００５２】
設定時の初期状態は非編集中Ａの待機Ｓ１であり、外部操作を介して、以下の動作を行う。
１）ネジ３の回転を終了して設定項目の選択を確定し、編集を開始しない限り、待機Ｓ１のままである。
２）操作ボタン２を短時間押下すると、設定項目の選択として次の設定項目の待機Ｓ１に遷移する。
３）操作ボタン２を長時間押下することにより設定項目の選択を終了すると、通常画面へ遷移する。
４）ネジ３の回転を終了して設定項目の選択を確定し、編集を開始すると、編集中Ｂの選択Ｓ２に遷移する。
【００５３】
編集中Ｂの選択Ｓ２に遷移している状態では、設定項目に割り当てられる選択方法にしたがって、以下のように動作する。
１）設定項目が選択肢の作成によって設定される場合は、選択肢作成型設定Ｓ２ａに遷移し、桁を区別して各桁を個別に設定する。
２）ネジ３を回転させて選択肢を選択することにより、編集中の桁において選択肢が切り替わる。
３）操作ボタン２を短時間押下して選択肢の選択が確定すると、次の桁に切り替わる。
【００５４】
４）設定項目が選択肢の選択によって設定される場合は、選択肢選択型設定Ｓ２ｂに遷移し、桁を区別せず全桁を同時に設定する。
５）ネジ３を回転させて選択肢を選択することにより、選択肢が切り替わる。
６）操作ボタン２を長時間押下して選択肢の作成を完了しない限り、選択肢作成型設定Ｓ２ａまたは選択肢選択型設定Ｓ２ｂの状態を保持する。
７）操作ボタン２を長時間押下して選択肢の作成を完了すると、確認Ｓ３に遷移する。
【００５５】
確認Ｓ３の段階では、以下の動作をする。
１）ネジ３を回転させて、選択肢として保存Ｓ３ａまたは取消Ｓ３ｂのいずれかを選択する。
２）操作ボタン２を長時間押下して選択肢の選択を完了しない限り、確認Ｓ３の状態を保持する。
３）操作ボタン２を長時間押下して選択肢の選択を完了すると、決定Ｓ４に遷移する。
【００５６】
決定Ｓ４の段階では、確認Ｓ３の段階で選択された内容にしたがって、以下のように動作する。
１）保存Ｓ３ａを選択した場合、選択した選択肢を設定値に反映させる。
２）保存を失敗した場合は選択した選択肢は破棄され、現在の設定値が保持される。
３）取消Ｓ３ｂを選択した場合、選択した選択肢は破棄され、現在の設定値が保持される。
４）動作が完了すると、非編集中Ａの待機Ｓ１に遷移する。
【００５７】
なお、上記実施例では、操作ボタン２およびネジ３が図２に示すようにそれぞれ１個であって、これら操作ボタン２およびネジ３の操作量が図２に示すようにそれぞれ操作量１と操作量２の２段階の場合について説明したが、操作ボタン２およびネジ３は少なくともいずれかが２個以上であってもよく、それらの操作量は少なくともいずれかが３段階以上であってもよい。
【００５８】
操作ボタン２が複数ｍ個設けられていて、それらの操作量を複数ｎ段階について識別可能に設定されているとすると、これら複数ｍ個の操作ボタン２と複数ｎ段階の操作量を組み合わせることにより、最大（ｍ＊ｎ）個の機能を割り当てることができる。
【００５９】
同様に、ネジ３が複数ｐ個設けられていて、それらの操作量を複数ｑ段階について識別可能に設定されているとすると、これら複数ｐ個のネジ３と複数ｑ段階の操作量を組み合わせることにより、最大（ｐ＊ｑ）個の機能を割り当てることができる。
【００６０】
図５は、操作ボタン２の操作定義説明図である。図５において、「非押下中」、「押下開始」、「押下中」、「押下終了」よりなる４つの状態変化を、それぞれの状態時間内における○マークで示したタイミングで、現在（今回）と過去（前回）の時系列的な信号の変化として検出する。なお、押下／非押下状態の検出にあたっては、あらかじめチャタリング防止処理が行われた信号を使用する。
【００６１】
１）「非押下中」：現在も過去も、操作ボタン２を押下していない。
前回も今回も非押下状態の場合である。
２）「押下開始」：過去はボタンを押下していなかったが、現在は押下している。
前回は非押下状態で、今回は押下状態の場合である。
３）「押下中」：現在も過去も、操作ボタン２を押下している。
前回も今回も押下状態の場合である。
４）「押下終了」：過去はボタンを押下していたが、現在は押下していない。
前回は押下状態で、今回は非押下状態の場合である。
【００６２】
図６は操作ボタン２の押下判定基準説明図であり、（Ａ）は操作ボタン２を押下したと判定する場合を示し、（Ｂ）は操作ボタン２を押下しなかったと判定する場合を示している。なお、図６における符号をそれぞれ以下のように定義する。
ｔｓ：押下開始時刻
ｔｅ：押下終了時刻
ｔｍ：押下認定時刻
Ｔｂａｓｅ：押下が有効であると判定するための必要最低押下時間
Ｔ１、Ｔ２：実際の押下時間
【００６３】
操作ボタン２の押下を有効にするための条件は、次式のようになる。
Ｔ１≧Ｔｂａｓｅ  ⇔  （ｔｅ−ｔｓ）≧（ｔｍ−ｔｓ）
⇔  ｔｅ≧ｔｍ
【００６４】
図６（Ａ）の押下時間Ｔ１は、ｔｅ≧ｔｍの条件を満たしている。したがって、操作ボタン２の押下は有効である。
【００６５】
これに対し、図６（Ｂ）の押下時間Ｔ２は、ｔｅ≧ｔｍの条件を満たしていない。したがって、操作ボタン２の押下は無効である。
【００６６】
操作ボタン２の押下を有効にするには、図６から明らかなように、必要最低押下時間Ｔｂａｓｅ以上、操作ボタン２を押下すればよい。
【００６７】
図７は操作ボタン２の押下における操作量の判定基準の定義説明図であり、（Ａ）は機能１が有効になる場合を示し、（Ｂ）は機能２が有効になる場合を示し、（Ｃ）は機能３が有効になる場合を示している。
【００６８】
図７において、機能１を有効にするための必要最低押下時間をＴｂａｓｅ１とし、機能２を有効にするための必要最低押下時間をＴｂａｓｅ２とし、機能３を有効にするための必要最低押下時間をＴｂａｓｅ３とする。これらの判定基準に基づき、図７（Ａ）〜（Ｃ）を評価する。
【００６９】
図７（Ａ）の実際の押下時間Ｔ１に対応する押下終了時刻ｔｅについて、機能１〜３をそれぞれ有効にするための必要最低押下時間Ｔｂａｓｅ１〜Ｔｂａｓｅ３に対応する押下終了時刻ｔｍ１〜ｔｍ３に対して、以下の関係が成立する。
１）ｔｅ≧ｔｍ１を満足する。
２）ｔｅ≧ｔｍ２を満足しない。
３）ｔｅ≧ｔｍ３を満足しない。
したがって、機能１は有効で、機能２と機能３は無効であり、機能１が実行される。
【００７０】
図７（Ｂ）の実際の押下時間Ｔ２に対応する押下終了時刻ｔｅについて、機能１〜３をそれぞれ有効にするための必要最低押下時間Ｔｂａｓｅ１〜Ｔｂａｓｅ３に対応する押下終了時刻ｔｍ１〜ｔｍ３に対して、以下の関係が成立する。
１）ｔｅ≧ｔｍ１を満足する。
２）ｔｅ≧ｔｍ２を満足する。
３）ｔｅ≧ｔｍ３を満足しない。
したがって、機能１と機能２は有効で、機能３は無効である。この場合、機能１と機能２のうち、いずれか１つの機能を実行する。そこで、ｔｅ≧ｔｍ２を満足すると判定した時点で、その前に有効と判定した機能１を無効にする。この結果、機能２が実行される。
【００７１】
図７（Ｃ）の実際の押下時間Ｔ３に対応する押下終了時刻ｔｅについて、機能１〜３をそれぞれ有効にするための必要最低押下時間Ｔｂａｓｅ１〜Ｔｂａｓｅ３に対応する押下終了時刻ｔｍ１〜ｔｍ３に対して、以下の関係が成立する。
１）ｔｅ≧ｔｍ１を満足する。
２）ｔｅ≧ｔｍ２を満足する。
３）ｔｅ≧ｔｍ３を満足する。
したがって、機能１〜機能３の全てが有効である。この場合、機能１〜機能３のうち、いずれか１つの機能を実行する。そこで、ｔｅ≧ｔｍ２を満足すると判定した時点でその前に有効と判定した機能１を無効にし、さらにｔｅ≧ｔｍ３を満足すると判定した時点で機能２も無効にする。これにより、機能３のみが実行される。
【００７２】
操作ボタン２の押下における操作量の区別の具体例を説明する。
非編集中において、「設定項目選択」機能と「設定項目選択終了」機能を実行するために必要な最低押下時間が以下のように設定されているとする。
Ｔｂａｓｅ１＝１８０ｍｓｅｃ：
「設定項目選択」機能を実行するために必要な最低押下時間
Ｔｂａｓｅ２＝２ｓｅｃ：
「設定項目選択終了」機能を実行するために必要な最低押下時間
【００７３】
「設定項目選択」機能を実行する場合には１８０ｍｓｅｃ以上２ｓｅｃ未満の時間で操作ボタン２を押下し、「設定項目選択終了」機能を実行する場合には２ｓｅｃ以上の時間で操作ボタン２を押下する。
【００７４】
そして、編集中において、「選択肢選択確定」機能と「選択肢作成終了」機能を実行するために必要な最低押下時間が以下のように設定されているとする。
Ｔｂａｓｅ１＝１８０ｍｓｅｃ：
「選択肢選択確定」機能を実行するために必要な最低押下時間
Ｔｂａｓｅ２＝２ｓｅｃ：
「選択肢作成終了」機能を実行するために必要な最低押下時間
【００７５】
「選択肢選択確定」機能を実行する場合には１８０ｍｓｅｃ以上２ｓｅｃ未満の時間で操作ボタン２を押下し、「選択肢作成終了」機能を実行する場合には２ｓｅｃ以上の時間で操作ボタン２を押下する。
【００７６】
図８は、ネジ３の操作定義説明図である。図８において、縦棒はネジ３を回転することにより検出されるパルスである。なお、回転／非回転状態の検出にあたっては、あらかじめチャタリング防止処理が行われた信号を使用する。
【００７７】
各周期において前回時刻から現在時刻に至るまでに検出されたネジ３の回転に伴うパルス数をカウントし、各周期における現在（今回）と過去（前回）の時系列的なパルス数の変化に基づいて、「非回転中」、「回転開始」、「回転中」、「回転終了」よりなる4つの状態変化を検出する。
【００７８】
１）「非回転中」：現在も過去も、ネジ３を回転させていない。
前回カウントしたパルス数も、今回カウントしたパルス数も０の場合である。
２）「回転開始」：過去はネジ３を回転させていなかったが、現在は回転させている。
前回カウントしたパルス数は０であり、今回カウントしたパルス数は１以上の場合である。
３）「回転中」：現在も過去も、ネジ３を回転させている。
前回カウントしたパルス数も、今回カウントしたパルス数も１以上の場合である。
４）「回転終了」：過去はネジ３を回転させていたが、現在は回転させていない。
前回カウントしたパルス数は１以上であり、今回カウントしたパルス数は０の場合である。
【００７９】
図９はネジ３の回転に伴い生成検出されるパルス数の判定基準説明図であり、（Ａ）は「パルス数０」と判定する場合を示し、（Ｂ）は「パルス数１」と判定する場合を示し、（Ｃ）は「パルス数２」と判定する場合を示し、（Ｄ）は「パルス数３」と判定する場合を示している。なお、図８の符号Ｔｂａｓｅは、回転数をカウントするための所定の時間範囲とする。
【００８０】
図９（Ａ）では、所定の時間範囲Ｔｂａｓｅにおいて、パルス数が１つも存在しない。したがって、「パルス数０」が有効である。
【００８１】
図９（Ｂ）では、所定の時間範囲Ｔｂａｓｅにおいて、パルス数が１つ存在する。したがって、「パルス数１」が有効である。
【００８２】
図９（Ｃ）では、所定の時間範囲Ｔｂａｓｅにおいて、パルス数が２つ存在する。したがって、「パルス数２」が有効である。
【００８３】
図９（Ｄ）では、所定の時間範囲Ｔｂａｓｅにおいて、パルス数が３つ存在する。したがって、「パルス数３」が有効である。
【００８４】
図１０は、本発明の一実施例である伝送器７の内部機能ブロック例図である。
第１操作部７ａ→第１操作量検出部７ｂ→第１選択制御部７ｃ、第２操作部7ｈ→第２操作検出部7ｉ→第２選択制御部7ｊにおける動作は以下のようになる。
【００８５】
１）第１操作部７ａの操作に応じて変化する操作量は、第１操作量検出部７ｂで検出されて第１選択制御部７ｃに入力される。
２）第２操作部７ｈの操作に応じて変化する操作量は、第２操作量検出部７ｉで検出されて第２選択制御部７ｊに入力される。
【００８６】
第１選択制御部７ｃは、第１操作量検出部７ｂで検出される第１操作部７ａの操作量に基づき、以下の５つの動作を実行する。
１）非編集中Ａの待機Ｓ１に遷移しているとき、設定項目文字列格納部７ｄに格納されている設定項目文字列を順次読み出し、設定項目演算処理部７ｅに設定項目の切替をしていることを通知し、表示部７ｇの表示切替を含む形態で設定項目の切替選択を行う。
２）非編集中Ａの待機Ｓ１に遷移しているとき、設定項目演算処理部７ｅに設定項目の選択を終了することを通知し、表示部７ｇの表示切替を含む形態で、設定項目の選択を終了する。
３）編集中Ｂの選択Ｓ２に遷移し、設定方法が選択肢作成型設定Ｓ２ａである場合、設定項目演算処理部７ｅに選択肢の選択を確定することを通知し、表示部７ｇの表示切替を含む形態で選択肢の選択を確定し、設定桁の切替選択を行う。
【００８７】
４）編集中Ｂの選択Ｓ２に遷移し、設定方法が選択肢作成型設定Ｓ２ａである場合、設定項目演算処理部７ｅに選択肢の作成を完了することを通知し、表示部７ｇの表示切替を含む形態で、選択肢の作成を完了する。
５）編集中Ｂの選択Ｓ２に遷移し、設定方法が選択肢選択型設定Ｓ２ｂである場合、設定項目演算処理部７ｅに選択肢の選択を完了することを通知し、表示部７ｇの表示切替を含む形態で、選択肢の選択を完了する。
【００８８】
第２選択制御部７ｊは、第２操作量検出部７ｉで検出される第２操作部７ｈの操作量に基づき、以下の２つの動作を実行する。
１）非編集中Ａの待機Ｓ１に遷移しているとき、設定項目演算処理部７ｅに選択している設定項目の選択を確定することを通知し、表示部７ｇの表示切替を含む形態で、設定項目の編集を開始する。
２）編集中Ｂの選択Ｓ２に遷移しているとき、選択肢作成型設定Ｓ２ａにおいては選択肢を作成するための要素を選択し、選択肢選択型設定Ｓ２ｂにおいてはあらかじめ用意されている選択肢を選択する。
【００８９】
そして、設定項目演算処理部７ｅに選択肢の切替をしていることを通知し、選択肢作成型設定Ｓ２ａにおいては選択肢を作成するための要素を、選択肢選択型設定Ｓ２ｂにおいてはあらかじめ用意されている選択肢を設定値格納部７ｆに格納し、表示部７ｇの表示切替を含む形態で選択肢の切替選択を行う。
【００９０】
設定項目演算処理部７ｅは、第１選択制御部７ｃおよび第２選択制御部７ｊからの入力信号に基づいて、以下の４つの動作を実行する。
１）非編集中Ａの待機Ｓ１に遷移しているとき、第１選択制御部７ｃにおける設定項目の切替信号と設定項目の選択終了信号に基づき、選択した設定項目の処理を実施するために、編集中Ｂの選択Ｓ２に遷移する処理を行う。
【００９１】
２）編集中Ｂの確認Ｓ３に遷移しているとき、第２選択制御部７ｊにおける選択肢の切替信号と、第１選択制御部７ｃにおける選択肢の選択確定信号に基づき、選択した確認項目による選択肢に対する処理を実施するために、編集中Ｂの決定Ｓ４に遷移する処理を行う。
３）編集中Ｂの選択Ｓ２に遷移して設定方法が選択肢作成型設定Ｓ２ａである場合、第１選択制御部７ｃにおける選択肢の選択確定信号と、第２選択制御部７ｊにおける選択肢の切替信号と、第１選択制御部７ｃにおける選択肢の作成完了信号に基づき、作成した選択肢を設定値の候補として確定する処理を実施するために、編集中Ｂの確認Ｓ３に遷移する処理を行う。
【００９２】
４）編集中Ｂの選択Ｓ２に遷移して設定方法が選択肢選択型設定Ｓ２ｂである場合、第２選択制御部７ｊにおける選択肢の切替信号と第１選択制御部７ｃにおける選択肢の作成完了信号に基づき、選択した選択肢を設定値の候補として確定する処理を実施するため、編集中Ｂの確認Ｓ３に遷移する処理を行う。
【００９３】
通信を確立するための基本設定のみならず、電子機器が有している一般的なパラメータの基本設定も、操作ボタン２の押下やネジ３の回転操作のみにより、電子機器単体で実施できる。
【００９４】
また、状況や必要に応じて、作業者が最適な設定方法を選択し作業することで、不要な工数を削減できるとともに、思い通りの作業を実施できる。
【００９５】
また、本発明に基づく設定作業の実施にあたっては、電子機器本体と稼働用の電源があればよく、別途、通信機器や調整機器などを用意する必要はない。
【００９６】
なお、基本的な設定項目には、通信設定だけではなく、機器タグ、単位、レンジ、ダンピングなどの一般設定および調整も含むものとする。
【００９７】
図１１は、本発明に基づく伝送器の具体例を示す外観斜視図である。円筒状に形成されたケース８の内部には、内器を構成するＣＰＵを含む各種の電子部品が実装されている円板状のプリント配線板９と、表示部１を含み円板状に形成された表示ブロック１０とが、スタッド１１、１２を介して所定の間隔を保つようにして収納される。
【００９８】
ケース８の開口部の内周面にはネジ溝８ａが設けられていて、カバー１３の円筒状の外周面にはケース８の開口部の内周面に設けられているネジ溝８ａに螺合するようにネジ溝１３ａが設けられている。
【００９９】
プリント配線板９と表示ブロック１０とが収納されるケース８の開口部の内周面に設けられているネジ溝８ａに、有底円筒状に形成されたカバー１３の円筒状の外周面に設けられているネジ溝１３ａを嵌め合わせることにより、ケース８の開口部をカバー１３で塞ぐことができる。
【０１００】
なお、円筒状のカバー１３の底面にはガラス窓１３ｂが設けられていて、ケース８の内部に収納される表示部１の表示内容をこのガラス窓１３ｂを通して外部から目視確認できる。
【０１０１】
表示ブロック１０の表示部１の右下近傍には図１２に示す操作ボタン２が設けられ、ケース８の外壁の固定部近傍には図１２に示すネジ３が設けられているが、ネジ３の頭部は不用意な回転操作を防止するために開閉可能なシャッター１４で覆われている。
【０１０２】
操作ボタン２の操作は、カバー１３をケース８の開口部から取り外してケース８の開口部を開放した状態で行う。
【０１０３】
本発明によれば、基本的な設定項目の設定を、電子機器単体で許可もしくは禁止する操作についても実行できる。
【０１０４】
１つのスイッチに対して１つの機能を割り当てるのではなく、１つのスイッチに複数の機能を割り当てるようにしてもよい。このような「１機構多機能化」により、機構を増やさずに、機能を増やすことができる。
【０１０５】
機構の操作量の違いを利用することで直感的な操作が可能となり、作業者を誤設定の可能性から遠ざけることができる。
【０１０６】
スイッチの協調操作としては、スイッチ単体が有する機能とは別の機能を実行するようにしてもよい。
【０１０７】
また、上記実施例では、スイッチとネジとを個別に設ける例を示したが、たとえばネジの回転量に応じてスイッチの接点が開閉されるようにスイッチとネジとが一体化されたものを用いてもよい。これにより、部品点数を減らすことができる。
【０１０８】
さらに、上記実施例では、電子機器が伝送器の例について説明したが、本発明は伝送器に限るものではなく、操作ボタンや設定用のネジが設けられているその他の電子機器であってもよい。
【０１０９】
以上の説明から明らかなように、本発明によれば、操作機構を増やすことなく機能を追加することができ、作業者が直感的に設定作業を行える自由度の高い電子機器を提供できる。
【符号の説明】
【０１１０】
１  表示部
２  操作ボタン
３  ネジ
４  操作部
５  操作量検出部
６  機能割当部
７  伝送器
７ａ  第１操作部
７ｂ  第１操作量検出部
７ｃ  第１選択制御部
７ｄ  設定項目文字列格納部
７ｅ  設定項目演算処理部
７ｆ  設定値格納部
７ｇ  表示部
８  ケース
８ａ、１３ａ  ネジ溝
９  プリント配線板
１０  表示ブロック
１１、１２  スタッド
１３  カバー
１３ａ  ネジ溝
１３ｂ  ガラス窓
１４  シャッター
【図１】
2016001383.tif 000003
【図２】
2016001383.tif 000004
【図３】
2016001383.tif 000005
【図４】
2016001383.tif 000006
【図５】
2016001383.tif 000007
【図６】
2016001383.tif 000008
【図７】
2016001383.tif 000009
【図８】
2016001383.tif 000010
【図９】
2016001383.tif 000011
【図１０】
2016001383.tif 000012
【図１２】
2016001383.tif 000013
【図１３】
2016001383.tif 000014
【図１４】
2016001383.tif 000015
【図１１】
2016001383.tif 000016